(57)【要約】【課題】薬錠剤は主にＰＴＰ包装の形で提供されるが、飲用時にマーキングの手段がないので、飲み忘れや２度飲用による過剰摂取といった事態が生じる。【解決手段】本発明は、薬錠剤のＰＴＰ包装から錠剤を取り出すときに発生する剥離片に接着剤を施しておき、錠剤服用時に剥離片を指の爪など目の届くところに貼り付けて、飲用のマーカーとして利用し、薬の飲み忘れ、飲み過ぎを防止する。【選択図】図１
2015029898.tif 000002
【特許請求の範囲】
【請求項１】
薬錠剤を包むＰＴＰ包装において、錠剤取り出し時に発生する剥離片に、再接着が可能なように接着剤が施されたＰＴＰ包装。
【請求項２】
請求項１の剥離片に施される接着剤が、水で濡らすことにより接着性を発現する、乾燥時に非接着性の接着剤である薬錠剤用ＰＴＰ包装。
【請求項３】
請求項１の剥離片に施される接着剤が、粘着性であるＰＴＰ包装。
【発明の詳細な説明】
【技術分野】
【０００１】  本発明は、薬錠剤を包むＰＴＰ包装の剥離側シートに接着剤を施し、錠剤取り出し時に発生する剥離片を、薬の飲み忘れや飲み過ぎ防止のためのマーカーとして活用する。
【背景技術】
【０００２】  薬用錠剤は主にＰＴＰ包装の形で服用者に渡され、ＰＴＰ包装から錠剤を取り出すときに発生する剥離片はゴミとして処理されている。
【発明の概要】
【発明が解決しようとする課題】
【０００３】  ＰＴＰ包装から錠剤を取り出して服用する際、後で飲んだかどうか分からなくなり、その結果２度服用することや、飲まずに済ませるいう過ちを犯すことがある。
【課題を解決するための手段】
【０００４】  本発明は、薬錠剤を包むＰＴＰ包装から錠剤を取り出して服用するときに発生する剥離片に接着剤を施しておき、錠剤の取り出しと同時に剥離片を目に入るところに貼り付けて、服用のマーキングに利用する。【０００５】  ＰＴＰとは押し出して取り出すという意味の英語の略称で、病院で処方される薬の大半は、１０個程度の錠剤が１個ずつ包装されたＰＴＰ包装の形態で渡される。図１はＰＴＰ包装の錠剤が入っている部分の断面図である。通常、錠剤１の受け皿部分を構成するプラスチックシート２と、蓋を構成するアルミ箔等のシート３とを貼り合わせた構造になっている。錠剤を取り出すときには、受け皿部の底を強く押すことにより、錠剤が押し上がって蓋部分が剥離する。【０００６】  この時、蓋部分のシートはほぼ受け皿部分の縁に沿って破れるため、錠剤よりも少し大きめの剥離片が発生する。本発明では、この剥離片をそのままマーカーとして貼り付けることが出来るよう接着剤を施しておき、切手を貼る要領で爪や手の見えやすい部分などに剥離片を貼り付ける。したがって剥離片は、簡単に貼り付けることができ、また不要になった時は容易に剥ぎ取ることが出来るように接着剤が施されたものでなければならない。【０００７】  その一部が剥離片となる、アルミ箔等のシートに施す接着剤は、切手の糊と同じように、アラビアガム、ポリビニルアルコール、にかわ等の水溶性の糊が利用できるが、爪に対する場合は紙に貼る切手では接着力が足りないので、切手よりもより多く接着剤をコートするか、またはより強力な接着剤を使用することが必要である。次に速乾でしかも厚い接着剤の被膜が得られる例を挙げる。【０００８】  変性ポリビニルアルコール（日本合成化学工業株式会社製ゴーセランＬ−３２６６）の５０％エタノール溶液を、塗布試験用のバーコーター（＃２０）で市販の家庭用アルミ箔に塗布し乾燥させると、非接着性の接着剤コート面が形成される。この場合、最初に約４０マイクロメーターの厚みに５０％のゴーセラン液が塗布されるが、乾燥後には約２０マイクロメーターの非接着性ゴーセラン膜がコートされたアルミ箔となる。このようにゴーセランをコートしたアルミ箔を、直径約８ミリメーターの円形に切り取って、ゴーセランのコート面を、舐めて湿らせた爪や手のひらの上に当てて強く押し付けると、非接着性の乾燥ゴーセラン膜が水に溶けて切手を貼るように接着し、また意図的には容易に剥ぎ取ることが出来た。【０００９】  図１は、上記ゴーセランのような、乾燥時非接着性の接着剤をアルミ箔に施した本発明の実施例の一つで、接着剤の層４がアルミ箔シート３の外側になるよう配置されている。【００１０】  必要によっては、接着剤のコート面４がシート３の内側（４を２と３の間に配置）になるよう配置されたＰＴＰ包装でも剥離片には接着剤が付いているので、効果は図１の実施例の場合と同じである。【００１１】  剥離片をより確実に接着させるために、粘着性の接着剤を使用することもできる。図１で接着剤４が粘着剤である場合には、接着剤４の上に更に離型紙が必要になる。【００１２】  粘着性の接着剤を使用する場合には、［００１０］に記したように、図１でシート３の内側（２と３の間）に施せば離型紙などの必要がない。【００１３】  本発明に使用できる粘着性接着剤としては多種多様のものがあるが、ハエ取り紙に使用されているロジン系粘着剤もその一つである。加工工程との兼ね合いで適切なものを選ぶことが出来るが水溶性のものではエマルションタイプのものが乾燥性の点で有効である。
例えば、変性アクリル樹脂エマルション（株式会社イーッテック製ＡＥ−３３７）を、前記ゴーセランの５０％水溶液について行ったのと同じように、バーコーターでアルミ箔に塗布すると、数分で粘着性接着剤の乾燥コート面がアルミ箔の上に形成された。このアルミ箔から切り出した切片は、そのまま爪などに接着させることが出来、また簡単に剥がすことが出来た。【００１４】  粘着性接着剤としてはホットメルトタイプのものが早く固まるという作業性の点で有利である。本発明に使用できるホットメルトタイプの粘着性接着剤としては、ハイボンＸＨ−１２９（日立化成株式会社）、アロンメルトＰＰＥＴ（東亜合成株式会社）の他、市場に多種多様のものがある。【００１５】  接着剤のコート面４がシート３の内側（４を２と３の間に配置）になるよう配置する場合で、４がホットメルトタイプの粘着性接着剤であれば２と３の接着にも利用されることになり、工程的な効果が期待される。【００１６】  シート３の、錠剤が収納される天井部分に、点付けで接着剤を印刷しておく方法でも本発明を達成することが出来る。この場合図１の層としての４は必要ない。
【発明の効果】
【００１７】  本発明では、ＰＴＰ包装の錠剤を飲む時に発生する剥離片を、その場でマーカーとして貼り付けることから、服用とその記録とがセットになっているため服用の記録が確実に残り、分からなくなった時点で服用の有無を容易に追認することが出来る。その結果、大切な薬の飲み忘れや二重摂取による飲み過ぎを防ぐことが出来る。【００１８】  錠剤を取り出すときに出る剥離片は、ゴミ箱を探して捨てるよりもそのまま爪などに貼り付ける方が手間が省けるので、よりマーキングの確実性が期待できる。【００１９】  剥離片は切手の要領で貼り付けるのであるが、自分の爪の側を舐めるので他人が触った切手を舐める場合より衛生的である。
【図面の簡単な説明】
【００２０】
【図１】  ＰＴＰ包装の錠剤収納部分の拡大断面図である。
【発明を実施するための形態】
【００２１】  本発明では、ＰＴＰ包装の剥離片に再接着が可能な接着剤が施されておれば目的を果すことが出来るが、次にもっとも簡単と思われる例を図１で説明する。
【００２２】  図１で１は錠剤、２は錠剤の受け皿部分を構成するプラスチックシート、３は蓋の役目のアルミ箔シートで、ここまでが従来のＰＴＰ包装である。本発明では３の上に前記［０００８］の乾燥ゴーセランの層４が加えられる。
【００２３】  この場合の乾燥ゴーセランの層４の形成方法には、従来のＰＴＰ包装のアルミ箔３の上に前記［０００８］に記したゴーセラン液を吹き付け塗装あるいはロールコーター等一般に行われている塗装方法が採用できる。
【産業上の利用可能性】
【００２４】  本発明は、ＰＴＰ包装に接着剤を付けるという簡単な方法で薬の飲み忘れと飲み過ぎ事故を軽減できることから、利用の可能性は大きいと予想される。
【符号の説明】
【００２５】１  錠剤
２  プラスチックシート
３  アルミ箔シート
４  接着剤
【図１】
2015029898.tif 000003